(57)【要約】      （修正有）【課題】広告表示のための独立したサーバーを立てる事なく処理対象の内容に応じた広告を表示できる情報処理システムを提供する。【解決手段】情報処理装置は、操作部と、表示部と、表示部に表示可能な１以上の広告が記憶された記憶部と、原稿を読み取り画像データを生成する原稿読取部と、原稿読取部により生成された画像データをＯＣＲ処理し文字データを抽出するＯＣＲ部と、ＯＣＲ部から渡された文字データを分析し、分析結果に基づいて、１以上の広告の中から表示部に表示させる事を希望する広告を選択し、選択した広告の広告料を提示して競争入札に参加する１以上の入札スクリプトと、競争入札の結果に基づき、最も高い広告料を提示した入札スクリプトを選択し、選択された入札スクリプトが希望する広告を表示部に表示させ、選択の結果と選択された入札スクリプトが提示した広告料とを選択結果情報として記憶部に蓄積させる広告選択部とを備える。【選択図】図３
2018084965.tif 000002
【特許請求の範囲】
【請求項１】
ネットワーク接続された、１以上の店舗サイトの各々に設置された情報処理装置と、本部サイトに設置された本部サーバーとを含み、
前記情報処理装置の各々は、
前記本部サーバーと通信可能な通信部と、
操作部と、
表示部と、
前記表示部に表示可能な１以上の広告が記憶された記憶部と、
原稿を読み取り画像データを生成する原稿読取部と、
前記原稿読取部により生成された前記画像データをＯＣＲ処理し文字データを抽出するＯＣＲ処理部と、
前記ＯＣＲ処理部から渡された文字データを分析し、分析結果に基づいて、前記１以上の広告の中から前記表示部に表示させる事を希望する広告を選択し、選択した前記広告の広告料を提示して競争入札に参加する１以上の入札スクリプトと、
前記競争入札の結果に基づき、最も高い広告料を提示した入札スクリプトを選択し、選択された前記入札スクリプトが希望する広告を前記表示部に表示させ、前記選択の結果と選択された前記入札スクリプトが提示した広告料とを選択結果情報として前記記憶部に蓄積させる広告選択部と
を備えた
情報処理システム。
【請求項２】
請求項１に記載の情報処理システムであって、
前記情報処理装置の各々は、
前記記憶部に蓄積された前記選択結果情報を予め定められたタイミングで前記本部サーバーにアップロードする選択結果報告部を更に備え、
前記本部サーバーは、
各情報処理装置からアップロードされた選択結果情報を集計し、各広告主に集計した広告料を請求する
情報処理システム。
【請求項３】
請求項２に記載の情報処理システムであって、
前記１以上の入札スクリプトのそれぞれは、
前記各広告主から提供される
情報処理システム。
【請求項４】
請求項３に記載の情報処理システムであって、
前記１以上の入札スクリプトのそれぞれは、
広告の予算がなくなったとき、競争入札への参加を取りやめる
情報処理システム。
【請求項５】
ネットワーク接続された、１以上の店舗サイトの各々に設置された情報処理装置と、本部サイトに設置された本部サーバーとを含んだ情報処理システムにおける情報処理方法であって、
前記情報処理装置の各々の原稿読取部が、原稿を読み取り画像データを生成し、
前記情報処理装置の各々のＯＣＲ処理部が、前記原稿読取部により生成された前記画像データをＯＣＲ処理し文字データを抽出し、
前記情報処理装置の各々の前記１以上の入札スクリプトが、前記ＯＣＲ処理部から渡された文字データを分析し、分析結果に基づいて、前記１以上の広告の中から表示部に表示させる事を希望する広告を選択し、選択した前記広告の広告料を提示して競争入札に参加し、
前記情報処理装置の各々の広告選択部が、前記競争入札の結果に基づき、最も高い広告料を提示した入札スクリプトを選択し、選択された前記入札スクリプトが希望する広告を前記表示部に表示させ、前記選択の結果と選択された前記入札スクリプトが提示した広告料とを選択結果情報として記憶部に蓄積させる
情報処理方法。
【発明の詳細な説明】
【技術分野】
【０００１】
本発明は、処理対象の内容に応じた広告を表示させる情報処理システムおよび情報処理方法に関する。
【背景技術】
【０００２】
近年の電子広告、特に、インターネット広告については、ソフトウェア・ハードウェアの両面において技術の進歩が著しく、既に一大産業を形成している。
一方、昨今多くの機器に液晶パネルが搭載されるようになり、広告表示に活用されている。具体例としては、コンビニエンスストアのＰＯＳ（Point of Sales）端末や通勤電車の車内モニターなどがある。複合機やコピー機においても、液晶パネルが搭載され、将来的な広告需要が予想される。
しかし、実際のところ、コンビニエンスストアなどに設置された複合機では利用者のプロフィールが分からないため、利用者に合った適切な広告を表示することは困難である。
広告主の立場で考えれば、対象の客層ではない相手への広告は無駄であるため、高単価の広告主を募ることが難しい。結果、コンビニエンスストア内の商品やコンビニエンスストア自体のサービスに関する広告ばかりになる。
このように、複合機上に表示させる広告は難しく、大学内のコピー機に限定した「タダコピ」を除いて成功例は無い。
なお、電子広告では、コピーする原稿や表示させるＷｅｂページなどの処理対象の内容に応じて適切な広告をユーザーに提示するための様々な工夫がなされてきた。
例えば、特許文献１において開示されている技術は、アフィリエイト・サイトの内容とそのサイトに掲載する広告コンテンツの内容とを合致させるというものである。アフィリエイト・サイトの内容に基づいて設定されたキーワードを用いて広告配信コンピューターと通信を行い、適切な広告を表示させている。
また、例えば、特許文献２の技術では、視聴者が番組を閲覧している間に関心のある項目を見たとき、視聴者は、その項目についての情報要求（ＲＦＩ）を開始する。ＲＦＩが入力されると、セットトップボックスなどクライアント装置はそのＲＦＩを検出し、閲覧されたチャネル、タイムスタンプ、またクローズドキャプションデータを含め、ＲＦＩデータをサーバーに送信する。ＲＦＩデータは、番組時刻コード情報、番組ガイド情報、番組情報および／または広告情報と相互参照され、ＲＦＩのコンテキスト、すなわちユーザーの見たものを決定する。ユーザーの見た項目についての情報が、システムメッセージ、電子メールメッセージ、郵便などによって視聴者に送られる。
【先行技術文献】
【特許文献】
【０００３】
【特許文献１】特許４５７０９２１号公報
【特許文献２】特許４６２５６５６号公報
【発明の概要】
【発明が解決しようとする課題】
【０００４】
上記特許文献において開示されている技術では、適切な広告を選択しユーザーに提示するためには別途、独立したサーバーを立てる必要があった。
【０００５】
以上のような事情に鑑み、本発明の目的は、広告表示のための独立したサーバーを立てる事なく処理対象の内容に応じた広告を表示できる情報処理システムおよび情報処理方法を提供することにある。
【課題を解決するための手段】
【０００６】
上記目的を達成するため、本発明の一形態に係る情報処理システムは、ネットワーク接続された、１以上の店舗サイトの各々に設置された情報処理装置と、本部サイトに設置された本部サーバーとを含み、前記情報処理装置の各々は、前記本部サーバーと通信可能な通信部と、操作部と、表示部と、前記表示部に表示可能な１以上の広告が記憶された記憶部と、原稿を読み取り画像データを生成する原稿読取部と、前記原稿読取部により生成された前記画像データをＯＣＲ処理し文字データを抽出するＯＣＲ部と、前記ＯＣＲ部から渡された文字データを分析し、分析結果に基づいて、前記１以上の広告の中から前記表示部に表示させる事を希望する広告を選択し、選択した前記広告の広告料を提示して競争入札に参加する１以上の入札スクリプトと、前記競争入札の結果に基づき、最も高い広告料を提示した入札スクリプトを選択し、選択された前記入札スクリプトが希望する広告を前記表示部に表示させ、前記選択の結果と選択された前記入札スクリプトが提示した広告料とを選択結果情報として前記記憶部に蓄積させる広告選択部とを備える。
【０００７】
そのため、広告表示のための独立したサーバーを立てる事なく処理対象の内容に応じた広告を表示できる。
【０００８】
上記目的を達成するため、本発明の一形態に係る情報処理システムでは、前記情報処理装置の各々は、前記記憶部に蓄積された前記選択結果情報を予め定められたタイミングで前記本部サーバーにアップロードする選択結果報告部を更に備え、前記本部サーバーは、各情報処理装置からアップロードされた選択結果情報を集計し、各広告主に集計した広告料を請求する構成でもよい。
【０００９】
上記目的を達成するため、本発明の一形態に係る情報処理システムでは、前記１以上の入札スクリプトのそれぞれは、前記各広告主から提供される構成でもよい。
【００１０】
上記目的を達成するため、本発明の一形態に係る情報処理システムでは、前記１以上の入札スクリプトのそれぞれは、広告の予算がなくなったとき、競争入札への参加を取りやめる構成でもよい。
【００１１】
上記目的を達成するため、本発明の一形態に係る情報処理方法は、ネットワーク接続された、１以上の店舗サイトの各々に設置された情報処理装置と、本部サイトに設置された本部サーバーとを含んだ情報処理システムにおける情報処理方法であって、前記情報処理装置の各々の原稿読取部が、原稿を読み取り画像データを生成し、前記情報処理装置の各々のＯＣＲ部が、前記原稿読取部により生成された前記画像データをＯＣＲ処理し文字データを抽出し、前記情報処理装置の各々の前記１以上の入札スクリプトが、前記ＯＣＲ部から渡された文字データを分析し、分析結果に基づいて、前記１以上の広告の中から表示部に表示させる事を希望する広告を選択し、選択した前記広告の広告料を提示して競争入札に参加し、前記情報処理装置の各々の広告選択部が、前記競争入札の結果に基づき、最も高い広告料を提示した入札スクリプトを選択し、選択された前記入札スクリプトが希望する広告を前記表示部に表示させ、前記選択の結果と選択された前記入札スクリプトが提示した広告料とを選択結果情報として記憶部に蓄積させる。
【発明の効果】
【００１２】
以上のように、本発明によれば、独立したサーバーを立てる事なく処理対象の内容に応じた広告を表示できる。
【図面の簡単な説明】
【００１３】
【図１】本発明の一実施形態に係る情報処理システム１の全体構成図である。
【図２】画像形成装置２０の構成を概略的に示す構成図である。
【図３】情報処理システム１におけるデータの流れを説明するための図である。
【図４】複数の入札スクリプト２１ｃにより行われる競争入札の詳細について説明するための図である。
【図５】各広告主から提供され、競争入札を行う入札スクリプト２１ｃの例を示す図である。
【図６】情報処理システム１における処理のうち、ユーザーが画像形成装置２０に原稿を読ませる毎に行われる処理の流れについて説明するためのフローチャートである。
【図７】情報処理システム１における処理のうち、広告主への広告料の請求処理に関する部分の処理の流れについて説明するためのフローチャートである。
【発明を実施するための形態】
【００１４】
以下、図面を参照しながら、本発明の実施形態を説明する。なお、以下の説明では、本発明の一実施形態に係る情報処理システムにおいて、各店舗サイトに設置される情報処理装置の例として、画像形成装置を用いて説明する。
［全体構成］
最初に、本発明の一実施形態に係る情報処理システム１の全体構成を説明する。図１は、本発明の一実施形態に係る情報処理システム１の全体構成図である。
情報処理システム１は、本部サイトに設置された本部サーバー１０と、各店舗サイトに設置された画像形成装置２０を含んで構成されている。本部サーバー１０と各画像形成装置２０はネットワークで接続されている。
本部サーバー１０は、各画像形成装置２０上で表示された広告の広告料を集計して広告主に請求するために用いられる。
各画像形成装置２０は、ユーザーがコピーする原稿の内容に合わせて操作パネル上の表示部に広告を表示する。
なお、上記の構成で注意すべき点は、本部サーバー１０は、広告料をまとめて広告主に請求するための処理に用いられるものであり、広告の選択と表示には一切関係していない点である。広告の選択処理と表示処理は、各画像形成装置２０で独立して行われる。
以上、本発明の一実施形態に係る情報処理システム１の全体構成を説明した。
【００１５】
［画像形成装置２０の構成］
次に、画像形成装置２０の構成について説明する。図２は、画像形成装置２０の構成を概略的に示す構成図である。
【００１６】
画像形成装置２０は、制御部２１を備える。制御部２１は、ＣＰＵ（Central Processing Unit）、ＲＡＭ（Random Access Memory）、ＲＯＭ（Read Only Memory）、および専用のハードウェア回路等から構成され、画像形成装置２０の全体的な動作制御を司る。
【００１７】
制御部２１は、原稿読取部２２、画像処理部２３、画像メモリー２４、画像形成部２５、操作部２６、表示部２６ａ、ファクシミリ通信部２７、通信部２８、記憶部２９等と接続されている。制御部２１は、接続されている上記各部の動作制御や、各部との間での信号又はデータの送受信を行う。
【００１８】
制御部２１は、ユーザーから、操作部２６またはネッワーク接続されたＰＣ等を通じて入力されるジョブの実行指示に従って、スキャナ機能、印刷機能、コピー機能、およびファクシミリ送受信機能などの各機能についての動作制御を実行するために必要な機構の駆動及び処理を制御する。
【００１９】
また、制御部２１は、ＯＣＲ（Optical Character Recognition）部２１ａ、広告選択部２１ｂ、入札スクリプト２１ｃ、および選択結果報告部２１ｄを有している。ＯＣＲ部２１ａ、広告選択部２１ｂ、入力スクリプト２１ｃ、および選択結果報告部２１ｄは、ＲＯＭなどからＲＡＭにロードされたプログラムがＣＰＵにより実行されることで実現される機能ブロックである。
【００２０】
ＯＣＲ部２１ａは、原稿読取部２２により読み込まれた画像データをＯＣＲ処理し、文字データを抽出する。
【００２１】
広告選択部２１ｂは、表示部２６ａに広告２９ａを表示させるにあたり、ＯＣＲ部２１ａにより抽出された文字データを各入札スクリプト２１ｃに渡し、各入札スクリプト２１ｃから広告料を競争入札させ、最も高い広告料を入札した入札スクリプト２１ｃの広告２９ａを表示させることを決定する。
【００２２】
また、どの広告２９ａが表示されたか、広告料は幾らだったかを、選択結果情報２９ｂとして記憶部２９に記憶させる。
【００２３】
入札スクリプト２１ｃは、各広告主から提供されるスクリプト（プログラム）であり、ＯＣＲ部２１ａから入力される文字データの内容を分析して、複数準備してある広告の中から表示させる広告を選択したり、競争入札にあたり入札に用いる広告料を決定したりする。
【００２４】
選択結果報告部２１ｄは、記憶部２９に記憶されている選択結果情報２９ｂを定期的にまたは予め定められたタイミングで本部サーバー１０にアップロードする。
【００２５】
原稿読取部２２は、原稿から画像を読み取る。
【００２６】
画像処理部２３は、原稿読取部２２で読み取られた画像の画像データを必要に応じて画像処理する。例えば、画像処理部２３は、原稿読取部２２により読み取られた画像が画像形成された後の品質を向上させるために、シェーディング補正等の画像処理を行う。
【００２７】
画像メモリー２４は、原稿読取部２２による読み取りで得られた原稿画像のデータを一時的に記憶したり、画像形成部２５での印刷対象となるデータを一時的に記憶したりする領域である。
【００２８】
画像形成部２５は、原稿読取部２２で読み取られた画像データ等の画像形成を行う。
【００２９】
操作部２６は、画像形成装置２０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部２６ａを備えている。
【００３０】
ファクシミリ通信部２７は、図示しない符号化／復号化部、変復調部、およびＮＣＵ（Network Control Unit）を備え、公衆電話回線網を用いてのファクシミリの送信を行う。
【００３１】
通信部２８は、ＬＡＮボード等の通信モジュールから構成され、通信部２８に接続されたＬＡＮ等を介して、本部サーバー１０やＰＣなどの装置と種々のデータの送受信を行う。
【００３２】
記憶部２９は、原稿読取部２２によって読み取られた原稿画像、表示部２６ａに表示される広告２９ａ、選択結果情報２９ｂなどを記憶する。記憶部２９は、ＨＤＤ（Hard Disk Drive）などの大容量の記憶装置である。
【００３３】
以上、画像形成装置２０の構成について説明した。なお、本部サーバー１０は一般的なコンピューターを用いれば良いので、構成の詳細に関する説明は省略する。
【００３４】
［データの流れ］
次に、情報処理システム１におけるデータの流れを説明する。図３は、情報処理システム１におけるデータの流れを説明するための図である。
【００３５】
流れは大きく２つに分けられる。１つは、画像形成装置２０のユーザーが原稿をコピーする流れである。
【００３６】
原稿読取部２２で読み取られた画像データは、画像形成部２５に送られ、印刷される。この流れにより、ユーザーは原稿をコピーすることが出来る。なお、ここではユーザーが行う処理をコピー処理としたが、これに限らず、原稿を読み込ませる処理であれば、ユーザーが行う処理はＦＡＸ送信などでもよい。
【００３７】
もう１つの流れは、原稿読取部２２で読み取られた画像データを用いて表示部２６ａに広告を表示させる処理の流れである。
【００３８】
原稿読取部２２で読み取られた画像データに対しＯＣＲ部２１ａがＯＣＲ処理を施して文字データを抽出し、広告選択部２１ｂで各入札スクリプト２１ｃに広告を表示する権利を競争入札させる。最も高い広告料を入札した入札スクリプト２１ｃが表示部２６ａに広告を表示させる権利を獲得し広告表示が行われる。
【００３９】
広告表示後は、表示された広告が何であるか、およびその広告の広告料が記憶部２９に選択結果情報２９ｂとして蓄積される。蓄積された選択結果情報２９ｂは、予め定められたタイミングで本部サーバー１０にアップロードされる。本部サーバー１０で集計された広告料は、各広告主に請求される。
【００４０】
以上、情報処理システム１におけるデータの流れを説明した。
【００４１】
［競争入札について］
次に、複数の入札スクリプト２１ｃにより行われる競争入札の詳細について説明する。図４は、複数の入札スクリプト２１ｃにより行われる競争入札の詳細について説明するための図である。
【００４２】
各入札スクリプト２１ｃには、ＯＣＲ部２１ａから文字データが入力される。各入札スクリプト２１ｃは、それぞれ独立して文字データを解析し、表示させたい広告の選択と入札する広告料を決定する。
【００４３】
図に示した例では、広告主１から提供された入札スクリプト１が広告１−３（広告主１が提供した３番の広告）を表示することを希望し、広告料として０．２１円を提示している。
【００４４】
また、広告主ｎから提供された入札スクリプトｎは、広告ｎ−ｍを表示することを希望し、広告料として０．１６円を提示している。
【００４５】
各入札スクリプト２１ｃからの広告料の入札が完了した後、広告選択部２１ｂは、最も高い広告料を提示した入札スクリプト２１ｃに表示部２６ａへ広告を表示する権利を与える。
【００４６】
図に示した例では、広告主４の入札スクリプト４が０．２８円と最も高い広告料を提示しているので、表示部２６ａへ広告を表示する権利を落札し、広告４−２を表示する。
【００４７】
以上、複数の入札スクリプト２１ｃにより行われる競争入札の詳細について説明した。
【００４８】
［入札スクリプトの例］
次に、各広告主から提供され、競争入札を行う入札スクリプト２１ｃの例を説明する。図５は、各広告主から提供され、競争入札を行う入札スクリプト２１ｃの例を示す図である。なお、ここで例示に使用している言語は、特定の言語を用いたものでは無く、処理の内容を例示するために便宜上使用するものである。
【００４９】
まず、上のスクリプトＳＣ１が競争入札時に使用されるものであり、ＯＣＲ部２１ａから入力された文字データに「免許証」の文字列が含まれている場合、１番の自動車保険に関する広告を表示することを希望し、広告料として０．５円を提示している。
【００５０】
また、ＯＣＲ部２１ａから入力された文字データに「登記簿」の文字列が含まれている場合、２番の火災保険に関する広告を表示することを希望し、広告料として０．２円を提示している。
【００５１】
次に、下のスクリプトＳＣ２が広告を表示する権利の落札に成功した場合に実行されるスクリプトであり、広告に使う予算から今回の落札に関する広告料を差し引いている。そして広告に使う予算（leftBudget）が０かマイナスになると、入札スクリプトＳＣ１は入札を止める（入札する広告料の価格として０を返す）。
【００５２】
なお、上記の例は最も簡単な入札スクリプト２１ｃの例であり、処理内容は、語句の使用頻度に応じて処理内容を変更するなど、各広告主が自由に記述できるものであってよい。そうすることにより、広告主は、より正確なターゲット広告を表示させることが出来る。
【００５３】
以上、各広告主から提供され、競争入札を行う入札スクリプト２１ｃの例を説明した。
【００５４】
［処理の流れ（その１）］
次に、情報処理システム１における処理のうち、ユーザーが画像形成装置２０に原稿を読ませる毎に行われる処理の流れについて説明する。図６は、情報処理システム１における処理のうち、ユーザーが画像形成装置２０に原稿を読ませる毎に行われる処理の流れについて説明するためのフローチャートである。
【００５５】
まず、ＯＣＲ部２１ａが、原稿読取部２２におけるスキャンにより得られた画像データを取得する（ステップＳ１）。
【００５６】
次に、ＯＣＲ部２１ａが、取得した画像データに対しＯＣＲ処理を施し、文字データを抽出する（ステップＳ２）。
【００５７】
次に、ＯＣＲ部２１ａが、抽出した文字データを各入札スクリプト２１ｃへ入力する（ステップＳ３）。
【００５８】
次に、各入札スクリプト２１ｃが、受け付けた文字データを解析し、表示を希望する広告と、広告料を提示し、競争入札を行う（ステップＳ４）。
【００５９】
次に、広告選択部２１ｂが、最も高い広告料を提示した入札スクリプト２１ｃを決定する（ステップＳ５）。
【００６０】
次に、広告選択部２１ｂが、決定した（落札に成功した）入札スクリプト２１ｃが希望している広告を表示部２６ａに表示させる（ステップＳ６）。
【００６１】
次に、広告選択部２１ｂが、どの広告を幾らの広告料で表示させたかを、選択結果情報２９ｂとして記憶部２９に蓄積する（ステップＳ７）。
【００６２】
以上、情報処理システム１における処理のうち、ユーザーが画像形成装置２０に原稿を読ませる毎に行われる処理の流れについて説明した。
【００６３】
［処理の流れ（その２）］
次に、情報処理システム１における処理のうち、広告主への広告料の請求処理に関する部分の処理の流れについて説明する。図７は、情報処理システム１における処理のうち、広告主への広告料の請求処理に関する部分の処理の流れについて説明するためのフローチャートである。
【００６４】
まず、選択結果報告部２１ｄが、記憶部２９に蓄積された選択結果情報２９ｂを、予め定められたタイミングで本部サーバー１０にアップロードする（ステップＳ１０）。
【００６５】
次に、本部サーバー１０が、アップロードされた選択結果情報２９ｂに基づいて、各広告主に広告料を請求する（ステップＳ１１）。
【００６６】
以上、情報処理システム１における処理のうち、広告主への広告料の請求処理に関する部分の処理の流れについて説明した。
【００６７】
［補足事項］
以上のように、本発明に係る情報処理システム１は、ネットワーク接続された、１以上の店舗サイトの各々に設置された情報処理装置２０と、本部サイトに設置された本部サーバー１０とを含み、前記情報処理装置２０の各々は、前記本部サーバー１０と通信可能な通信部２８と、操作部２６と、表示部２６ａと、前記表示部２６ａに表示可能な１以上の広告２９ａが記憶された記憶部２９と、原稿を読み取り画像データを生成する原稿読取部２２と、前記原稿読取部２２により生成された前記画像データをＯＣＲ処理し文字データを抽出するＯＣＲ部２１ａと、前記ＯＣＲ部２１ａから渡された文字データを分析し、分析結果に基づいて、前記１以上の広告２９ａの中から前記表示部２６ａに表示させる事を希望する広告２９ａを選択し、選択した前記広告２９ａの広告料を提示して競争入札に参加する１以上の入札スクリプト２１ｃと、前記競争入札の結果に基づき、最も高い広告料を提示した入札スクリプト２１ｃを選択し、選択された前記入札スクリプト２１ｃが希望する広告２９ａを前記表示部２６ａに表示させ、前記選択の結果と選択された前記入札スクリプト２１ｃが提示した広告料とを選択結果情報２９ｂとして前記記憶部２９に蓄積させる広告選択部２１ｂとを備える。
【００６８】
そのため、広告表示のための独立したサーバーを立てる事なく処理対象の内容に応じた広告を表示できる。
【００６９】
その他、本発明は、上述の実施形態にのみ限定されるものではなく、本発明の要旨を逸脱しない範囲内において種々変更を加え得ることは勿論である。
【符号の説明】
【００７０】
１  …  情報処理システム
１０  …  本部サーバー
２０  …  画像形成装置
２１  …  制御部
２１ａ…  ＯＣＲ部
２１ｂ…  広告選択部
２１ｃ…  入札スクリプト
２１ｄ…  選択結果報告部
２２  …  原稿読取部
２３  …  画像処理部
２４  …  画像メモリー
２５  …  画像形成部
２６  …  操作部
２６ａ…  表示部
２７  …  ファクシミリ通信部
２８  …  通信部
２９  …  記憶部
２９ａ…  広告
２９ｂ…  選択結果情報
【図１】
2018084965.tif 000003
【図２】
2018084965.tif 000004
【図３】
2018084965.tif 000005
【図４】
2018084965.tif 000006
【図５】
2018084965.tif 000007
【図６】
2018084965.tif 000008
【図７】
2018084965.tif 000009